(57)【要約】【課題】非球面を容易に具現すると共に色収差を補正できる構造の対物レンズ光学系及びこれを採用した光ピックアップ装置を提供する。【解決手段】入射光の色収差及び波面収差を補正する回折光学素子と、これと媒体との間の光路上に配置されて入射光を集束させ、回折光学素子側に位置した面が球面によりなるハーフボールレンズと、この球面に薄い非球面膜状に形成されて波面収差を補正し、プラスチック材質または紫外線硬化樹脂からなる非球面部材とを備える。所定波長の光を生成照射する光源と、光源と情報記録媒体との間に配置され、入射光の進路を変換する光路変換部材と、これと情報記録媒体との間に配置され、該構造を有する対物レンズ光学系と、情報記録媒体から反射され、対物レンズ光学系及び光路変換部材を経由して入射された光を受光して情報信号及び誤差信号を検出する光検出器とを備える。【選択図】図２
2006164497.tif 000002
【特許請求の範囲】
【請求項１】
光路に配置され、所定媒体に入射光を集束させる対物レンズ光学系において、
入射光の色収差及び波面収差を補正する回折光学素子と、
前記回折光学素子と前記媒体との間の光路上に配置され、入射光を集束させる屈折レンズと、
前記屈折レンズの一面に薄い非球面膜の接合から形成され、波面収差を補正する非球面部材とを備えることを特徴とする対物レンズ光学系。
【請求項２】
前記屈折レンズは、
前記媒体と対面する面が平面であり、前記回折光学素子側に位置した面が球面によりなるハーフボールレンズであることを特徴とする請求項１に記載の対物レンズ光学系。
【請求項３】
前記非球面部材は、
前記ハーフボールレンズの球面に薄い非球面膜により形成されていることを特徴とする請求項２に記載の対物レンズ光学系。
【請求項４】
前記非球面部材は、
プラスチック材質からなることを特徴とする請求項１から請求項３のうちいずれか１項に記載の記載の対物レンズ光学系。
【請求項５】
前記非球面部材は、
フォトポリマーからなることを特徴とする請求項４に記載の対物レンズ光学系。
【請求項６】
前記非球面部材は、
紫外線硬化樹脂からなることを特徴とする請求項１から請求項３のうちいずれか１項に記載の対物レンズ光学系。
【請求項７】
前記回折光学素子は、
前記屈折レンズ側に位置する平面と、その裏面に形成されたフレネルレンズとを備えることを特徴とする請求項１から請求項３のうちいずれか１項に記載の対物レンズ光学系。
【請求項８】
前記回折光学素子は、
前記屈折レンズ側に位置するフレネルレンズと、その裏面に形成された平面とを含むことを特徴とする請求項１から請求項３のうちいずれか１項に記載の対物レンズ光学系。
【請求項９】
光路に配置され、所定媒体に入射光を集束させる対物レンズ光学系において、
入射光の色収差補正及び波面収差を補正する回折光学素子と、
前記回折光学素子と前記媒体との間の光路上に配置されて入射光を集束させ、前記回折光学素子側に位置した面が球面によりなるハーフボールレンズと、
前記ハーフボールレンズの球面に薄い非球面膜状に形成されて波面収差を補正し、プラスチック材質または紫外線硬化樹脂からなる非球面部材とを備えることを特徴とする対物レンズ光学系。
【請求項１０】
情報記録媒体に情報の記録及び／または再生を行う光ピックアップ装置において、
所定波長の光を生成して照射する光源と、
前記光源と前記情報記録媒体との間に配置され、入射光の進路を変換する光路変換部材と、
前記光路変換部材と前記情報記録媒体との間に配置され、入射光の色収差を補正及び波面収差を補正する回折光学素子と、前記回折光学素子と前記情報記録媒体との間の光路上に配置されて入射光を集束させる屈折レンズと、この屈折レンズの一面に薄い非球面膜状に形成されて波面収差を補正する非球面部材とを備えた対物レンズ光学系と、
前記情報記録媒体から反射され、前記対物レンズ光学系及び前記光路変換部材を経由して入射された光を受光して情報信号及び誤差信号を検出する光検出器とを備えることを特徴とする光ピックアップ装置。
【請求項１１】
前記屈折レンズは、
前記媒体と対面する面は平面であり、前記回折光学素子側に位置した面は球面によりなるハーフボールレンズであることを特徴とする請求項１０に記載の光ピックアップ装置。
【請求項１２】
前記非球面部材は、
プラスチック材質からなることを特徴とする請求項１０または請求項１１に記載の光ピックアップ装置。
【請求項１３】
前記非球面部材は、
フォトポリマーからなることを特徴とする請求項１２に記載の光ピックアップ装置。
【請求項１４】
前記非球面部材は、
紫外線硬化樹脂からなることを特徴とする請求項１０または請求項１１に記載の光ピックアップ装置。
【請求項１５】
前記回折光学素子は、
前記屈折レンズ側に位置する平面と、その裏面に形成されたフレネルレンズとを備えることを特徴とする請求項１０または請求項１１に記載の光ピックアップ装置。
【請求項１６】
前記回折光学素子は、
前記屈折レンズ側に位置するフレネルレンズと、その裏面に形成された平面とを備えることを特徴とする請求項１０または請求項１１に記載の光ピックアップ装置。
【請求項１７】
ブルーレイディスクに情報の記録及び／または再生を行う光ピックアップ装置において、
ほぼ４０５ｎｍ波長の光を生成して照射する光源と、
前記光源と前記ブルーレイディスクとの間に配置され、入射光の進路を変換する光路変換部材と、
前記光路変換部材と前記ブルーレイディスクとの間に配置され、入射光の色収差及び波面収差を補正する回折光学素子と、前記回折光学素子と前記媒体との間の光路上に配置されて入射光を集束させ、前記回折光学素子側に位置した面が球面によりなるハーフボールレンズと、前記ハーフボールレンズの球面に薄い非球面膜状に形成されて波面収差を補正し、プラスチック材質または紫外線硬化樹脂からなる非球面部材とを備えた対物レンズ光学系と、
前記ブルーレイディスクから反射され、前記対物レンズ光学系及び前記光路変換部材を経由して入射された光を受光して情報信号及び誤差信号を検出する光検出器とを備えることを特徴とする光ピックアップ装置。
【発明の詳細な説明】
【技術分野】
【０００１】
本発明は、対物レンズ光学系及びこれを採用した光ピックアップ装置に係り、詳細には、非球面を容易に具現化すると共に、色収差を補正できる構造の対物レンズ光学系及びこれを採用した光ピックアップ装置に関する。
【背景技術】
【０００２】
一般的に、対物レンズ光学系は、レーザ光を利用して情報記録媒体に対して情報の記録再生を行う光ピックアップ装置に広く採用される。産業の発達と共に情報記録媒体は、制限された面積上にさらに多くの情報を記録することが要求されている。これにより、前記情報記録媒体として、直径１２０ｍｍサイズのディスクに対し、ほぼ７００ＭＢを記録できるコンパクトディスク（ＣＤ）からほぼ４．７ＧＢを記録できるデジタル多機能ディスク（ＤＶＤ）を経て、ほぼ２０ＧＢ以上を記録できるブルーレイディスク（ＢＤ）が開発されている。
【０００３】
ここで、ＢＤのような高密度の情報記録媒体を具現するために、情報記録媒体に結ばれる光スポットの大きさをより小さくする必要がある。ここで、光スポットの大きさは、光ピックアップ装置の光源から照射されるレーザ光の波長に比例し、対物レンズ光学系の開口数に反比例する関係にある。しかし、開口数の大きい対物レンズでは、対物レンズの両面間の偏心または面間隔の誤差が大きくなり、これにより球面収差、コマ収差を含んださまざまな光学収差が大きくなる。また、青色波長のレーザダイオードは、温度変化による波長変化が敏感であり、対物レンズ設計時に波長変化に対する収差補正、すなわち色収差補正を必ず考慮して設計せねばならない。レーザダイオードの温度変化による波長変化値は、＋０．０７ｎｍ／ｄｅｇ．であり、普通常温２５゜Ｃから８５゜Ｃまで上がるということだけを勘案しても、波長変化は４．２ｎｍである。これは、４０７ｎｍ波長のレーザダイオードの波長が４１１．２ｎｍに変わることを意味する。これ以外に、光ピックアップアクチュエータが追従できないレーザダイオードのモードホッピング（Ｍｏｄｅ ｈｏｐｐｉｎｇ）による波長変化１．５ｎｍまで考慮するならば、４１２．７ｎｍとなり、波長変化に対する変化幅は５．７ｎｍとなり、かなり大きいということが分かる。従って、青色波長を使用する光ピックアップの対物レンズ設計は、かかる特性及び収差を考慮してなされねばならず、そのためには、対物レンズの設計構造が他の何よりも重要である。
【０００４】
図１Ａないし図１Ｃを参照しつつ、従来の高開口数の対物レンズ光学系について述べる。
図１Ａを参照すれば、従来の一例による対物レンズ光学系は、高開口数化及び収差補正のために、平凸形状の球面レンズ１１と、この球面レンズ１１の一面に形成された回折光学素子１３とを含む。このように構成された対物レンズ光学系は、曲率半径を縮めて開口数を高めることができ、回折光学素子１３を採用して色収差を減らすことができるが、前記の対物レンズ光学系は、球面レンズ１１を採用することにより、他の収差補正に対応できないという短所がある。
【０００５】
図１Ｂを参照すれば、従来の他の例による対物レンズ光学系は、１枚のレンズ２０により構成され、球面によりなる入射面２１と、非球面によりなる出射面２３とを備える。この場合、入射面２１の曲率半径を縮めて開口数を高めることができ、出射面２３を非球面として収差を減らすことができる。しかし、球面、非球面だけで形成された対物レンズは、高開口数で使用する光源の青色波長帯域に対する色収差補正に対応できないという短所がある。
【０００６】
図１Ｃを参照すれば、従来のさらに他の例による対物レンズ光学系は、１枚の非球面レンズ３０から構成され、この非球面レンズ３０は、入射面３１及び出射面３３いずれも非球面によりなっている。このように、両面３１，３３が非球面により構成されたレンズを製作しようとする場合は、高精度を要する２個のコア金型を準備せねばならないという点と、両非球面の光軸が一致するように、コア金型を整列するのに多くの時間と努力とが必要であって量産性が低下し、超精密非球面の製作が困難であるという短所と、所望の色収差補正をできないという短所とがある。
【発明の開示】
【発明が解決しようとする課題】
【０００７】
本発明は、前記の点を勘案して案出され、高開口数を有しつつも非球面を容易に具現化すると共に、色収差及び波面収差を補正できる構造の対物レンズ光学系及びこれを採用した光ピックアップ装置を提供するところに目的がある。
【課題を解決するための手段】
【０００８】
前記の目的を達成するための本発明は、光路に配置され、所定媒体に入射光を集束させる対物レンズ光学系において、入射光の色収差及び波面収差を補正する回折光学素子と、前記回折光学素子と前記媒体との間の光路上に配置され、入射光を集束させる屈折レンズと、前記屈折レンズの一面に薄い非球面膜の形状に形成され、波面収差を補正する非球面部材とを備えることを特徴とする。
【０００９】
また、前記の目的を達成するための本発明は、光路に配置され、所定媒体に入射光を集束させる対物レンズ光学系において、入射光の色収差及び波面収差を補正する回折光学素子と、前記回折光学素子と前記媒体との間の光路上に配置されて入射光を集束させ、前記回折光学素子側に位置した面が球面によりなるハーフボールレンズと、前記ハーフボールレンズの球面に薄い非球面膜状に形成されて波面収差を補正し、プラスチック材質または紫外線硬化樹脂からなる非球面部材とを備えることを特徴とする。
【００１０】
また、前記の目的を達成するための本発明は、情報記録媒体に情報の記録及び／または再生を行う光ピックアップ装置において、所定波長の光を生成照射する光源と、前記光源と前記情報記録媒体との間に配置され、入射光の進路を変換する光路変換部材と、前記光路変換部材と前記情報記録媒体との間に配置され、入射光の色収差及び波面収差を補正する回折光学素子と、前記回折光学素子と前記情報記録媒体との間の光路上に配置されて入射光を集束させる屈折レンズと、前記屈折レンズの一面に薄い非球面膜の形状に形成されて波面収差を補正する非球面部材とを備えた対物レンズ光学系と、前記情報記録媒体から反射され、前記対物レンズ光学系及び前記光路変換部材を経由して入射された光を受光して情報信号及び誤差信号を検出する光検出器とを備えることを特徴とする。
【００１１】
また、前記の目的を達成するための本発明によるＢＤに情報の記録及び／または再生を行う光ピックアップ装置は、ほぼ４０５ｎｍ波長の光を生成照射する光源と、前記光源と前記ＢＤとの間に配置され、入射光の進路を変換する光路変換部材と、前記光路変換部材と前記ＢＤとの間に配置され、入射光の色収差及び波面収差を補正する回折光学素子と、前記回折光学素子と前記媒体との間の光路上に配置されて入射光を集束させ、前記回折光学素子側に位置した面が球面からなるハーフボールレンズと、前記ハーフボールレンズの球面に薄い非球面膜状に形成されて波面収差を補正し、プラスチック材質または紫外線硬化樹脂からなる非球面部材とを備える対物レンズ光学系と、前記ＢＤから反射され、前記対物レンズ光学系及び前記光路変換部材を経由して入射された光を受光して情報信号及び誤差信号を検出する光検出器とを備えることを特徴とする。
【発明の効果】
【００１２】
本発明による対物レンズ光学系は、媒体から順に屈折レンズ、非球面部材、回折光学素子を配置することにより、光学要素の光学的配置を容易に行える。また、屈折レンズをハーフボールレンズから構成し、その一面に薄い非球面膜の形状に非球面部材を形成することにより、波面収差を補正しつつも大量生産が容易であり、製造コストを下げることができるという利点がある。また、回折光学素子を備え、色収差補正及び屈折レンズと共に波面収差を補正できる。
【００１３】
また、本発明による光ピックアップ装置は、前記の構造の対物レンズ光学系を採用し、高開口数を保持しつつも色収差及び波面収差を補正することにより、ほぼ２０ＧＢ以上を記録できるＢＤに対しても情報の記録及び／または再生を行うことができる。
【発明を実施するための最良の形態】
【００１４】
以下、添付した図面を参照しつつ、本発明の望ましい実施例について詳細に説明する。
図２は、本発明の実施例による対物レンズ光学系の光学的配置を示した断面図である。
図面を参照すれば、本発明の実施例による対物レンズ光学系は、光路に配置され、所定媒体１００、例えばＢＤに入射光を集束させ、回折光学素子５０、屈折レンズ７０、及びその屈折レンズ７０の一面に形成されて波面収差を補正する非球面部材６０を含む。この対物レンズ光学系は、媒体１００に集束された光のスポットサイズを最小化できるように、開口数がほぼ０．８５以上であることが望ましい。
【００１５】
前記屈折レンズ７０は、前記回折光学素子５０と媒体１００との間の光路上に配置されて入射光を集束させる。この屈折レンズ７０は、前記回折光学素子５０側に位置した面７１は球面であり、前記媒体１００と対面する面７５は、平面である球面レンズ、すなわちハーフボールレンズである。前記屈折レンズ７０の例としては、４０５ｎｍ波長の入射光に対して屈折率１．８３、透過率９６．１％、アッベ数（abbe value）４６．５を有するＮ−ＬＡＳＦ４４を挙げることができる。
【００１６】
前記非球面部材６０は、前記屈折レンズ７０の球面７１に薄い非球面膜の形状に形成され、前記屈折レンズ７０により引き起こされる波面収差を補正する。すなわち、前記非球面部材６０は、前記屈折レンズ７０の球面７１に薄い非球面膜の形状をコーティング膜から形成され、望ましくは、フォトポリマーのようなプラスチック材質または紫外線硬化樹脂からなる。ここで、前記屈折レンズ７０についての前記非球面部材６０のコーティング形成工程それ自体は、公知であるので、その詳細な説明は省略する。
【００１７】
前記非球面部材６０の曲率は、下記の数式１に表した非球面方程式Ｘ（ｙ）を満足する曲率を有する。
【００１８】
【数１】
2006164497.tif 000003
【００１９】
ここで、Ｘ（ｙ）は、非球面方程式であり、非球面部材の頂点から光軸方向への距離、ｙは、光軸に垂直方向への距離、Ｃは、非球面部材の頂点における曲率半径の逆数、Ｋは、円錐定数（a conic constant）、Ａ４，Ａ６，Ａ８，…，Ａ２ｎは、非球面係数を表す。
【００２０】
このように、ハーフボールレンズと、ハーフボールレンズの球面に薄い非球面膜の非球面部材とを形成した場合は、従来の非球面単レンズに比べてレンズ製作が非常に容易であり、製造コストを節減できるという利点がある。
【００２１】
前記回折光学素子５０は、一面に形成されたフレネルレンズ５１と、その裏面に形成された平面５５とからなる平板型光学素子である。ここで、前記平面５５は、前記屈折レンズ７０側に配置され、フレネルレンズ５１がその裏面に配置されることもある。
【００２２】
この回折光学素子５０は、光源により発生する波長変化に対する色収差補正が主な役割であるが、若干の屈折力を有しており、前記屈折レンズ７０及び非球面部材６０と共に波面収差を補正する。すなわち、前記屈折レンズ７０は、一般的な屈折レンズであり、その焦点距離ｆｒｅｆは、入射光の波長に比例する。屈折レンズ７０の波長による屈折率ｎの変化について述べれば、波長が長くなるほどその値が小さくなる。これにより、光源の波長公差により、ＢＤ規格である４０５ｎｍ波長の光が入射された場合の焦点距離に比べ、これより大きい波長、例えば４１０ｎｍ波長の光が入射された場合の焦点距離が長くなる。従って、前記屈折レンズ７０に光源から照射された光の波長変化により、それぞれの結像位置が変わる色収差が発生する。ここで、色収差の程度、すなわち波長変化による焦点位置差は、屈折レンズ７０のアッベ数（abbe value）υｒｅｆ（＝（ｎ−１）／Δｎ）により決定される。
【００２３】
一方、前記回折光学素子５０は、前記屈折レンズ７０とは異なり、その焦点距離ｆｄｏｅは、入射光の波長に反比例する。例えば、４０５ｎｍ波長の光が入射された場合の焦点距離に比べ、これより大きい波長、例えば４１０ｎｍ波長の光が入射された場合の焦点距離が短い。ここで、波長変化による焦点距離変化は、回折光学素子５０のアッベ数（abbe value）υｄｏｅ（＝λ／Δλ）により決定される。
【００２４】
対物レンズ光学系の全体焦点距離ｆは、数式２のようである。
【００２５】
【数２】
2006164497.tif 000004
【００２６】
従って、数式３を満足するように、υｒｅｆとυｄｏｅとを設定することにより、前記屈折レンズ７０の色収差を補正できる。従って、本発明による対物レンズ光学系は、光源から照射された光の波長公差により、多様な波長の入射光が入射されても同一位置に結像させることができる。
【００２７】
【数３】
2006164497.tif 000005
【００２８】
前記フレネルレンズ５１は、多様な回折パターンを形成することにより具現可能である。ここで、回折パターンの例としては、ダイヤモンド加工によって形成されたキノフォーム（Ｋｉｎｏ ｆｏｒｍ）、ゾーンプレート（Ｚｏｎｅ ｐｌａｔｅ）、光エッチングを介したバイナリーオプティック（Ｂｉｎａｒｙ ｏｐｔｉｃ）、光エッチングを介した多層回折光学素子（Ｍｕｌｔｉ−ｌｅｖｅｌ ＤＯＥ）を挙げることができる。後述する実施例は、多重レベル、すなわち８位相レベルでフレネルレンズ５１のパターンを形成したものを例として表し、数式４に表した波面に対する半径対称関数φ（ｒ）でそのパターンを表現できる。
【００２９】
【数４】
2006164497.tif 000006
【００３０】
ここで、λ０は、基準波長であり、Ｃ１，Ｃ２，Ｃ３，…，Ｃｎは、回折光学素子係数であり、ｒは、光軸からの半径を表したものである。
一方、前記回折光学素子５０は、前記フレネルレンズ５１が前記屈折レンズ７０側に配置され、その裏面に前記平面５５が配置される構成も可能である。
【００３１】
前記の対物レンズ光学系の具体的な実施例は、下記の表１、表２及び図３に表した通りである。
【００３２】
【表１】
2006164497.tif 000007
【００３３】
【表２】
2006164497.tif 000008
【００３４】
このように対物レンズ光学系を構成した場合、４０５ｎｍ波長の入射光に対して波面エラーは、軸上（ｏｎ−ａｘｉｓ）では０．０１４９λであり、軸外（ｏｆｆ−ａｘｉｓ）では０．０１６９λを示した。また、４０５ｎｍ波長の入射光に対して色収差は、０．００２４７を表した。かかる波面エラー及び色収差値は、無視できる程度に小さな値である。
【００３５】
図４を参照すれば、本発明の実施例による光ピックアップ装置は、情報記録媒体Ｄに対して情報の記録及び／または再生を行う装置であり、光源１１１、光路変換部材１１５、対物レンズ光学系１２０及び光検出器１３５を含む。
【００３６】
前記光源１１１は、所定波長の光を生成照射する。この光源１１１は、レーザダイオード（ＬＤ）などから構成され、前記情報記録媒体ＤとしてＢＤが採用された場合にも情報の記録及び／または再生が可能であるように、ほぼ４０５ｎｍ波長の光を照射する。前記光路変換部材１１５は、前記光源１１１と対物レンズ光学系１２０との間の光路上に配置され、入射光の進路を変換させる。この光路変換部材１１５は、図示されているような偏光ホログラム素子（Ｐｏｌａｒｉｚｅｄ ＨＯＥ）１１６と１／４波長板１１７とを備えることが望ましい。
【００３７】
前記偏光ホログラム素子１１６は、入射光のうちの一つの偏光光は回折させ、他の偏光光は直進透過させることによって光路を変換する。すなわち、前記光源１１１側から入射された一の直線偏光光は直進透過させ、前記情報記録媒体Ｄ側から反射された他の直線偏光光は回折透過させる。前記１／４波長板１１７は、前記偏光ホログラム素子１１６の一面に設けられ、入射光の位相を遅延させ、入射された直線偏光は円偏光に、そして円偏光は直線偏光に変換する。ここで、前記光源１１１から照射され、前記情報記録媒体Ｄから反射された光は、前記１／４波長板１１７を二回透過することにより、その位相が１／２波長ほど変換される。従って、前記偏光ホログラム素子１１６に前記１／４波長板１１７側から入射される光は、前記光源１１１側から入射された光と異なる直線偏光の光になる。
【００３８】
前記対物レンズ光学系１２０は、前記光源１１１と前記情報記録媒体Ｄとの間に配置され、入射光の色収差及び波面収差を補正する回折光学素子１２１、前記回折光学素子１２１と情報記録媒体Ｄとの間に配置されて入射光を集束させる屈折レンズ１２５、及びこの屈折レンズ１２５の一面に形成された非球面部材１２３を含む。
【００３９】
ここで、前記屈折レンズ１２５は、前記回折光学素子１２１側に位置した面が球面によりなるハーフボールレンズから構成され、前記非球面部材１２３は、前記ハーフボールレンズの球面に薄い非球面膜状に形成されて波面収差を補正する。この対物レンズ光学系１２０は、図２及び図３を参照して説明したものと実質上同一なので、その詳細な説明は省略する。
【００４０】
前記光検出器１３５は、前記情報記録媒体Ｄから反射され、前記対物レンズ光学系１２０及び前記光路変換部材１１５を経由して入射された光を受光し、情報信号及び誤差信号を検出する。また、本発明による光ピックアップ装置は、前記光源１１１と光検出器１３５の光学的配置を考慮し、入射光の進路を変換する第１反射鏡１１３及び第２反射鏡１３１をさらに備えることが望ましい。
【００４１】
前記の実施例は、例示的なものに過ぎず、当技術分野の当業者ならば、それらから多様な変形及び均等な他の実施例が可能である。従って、本発明の真の技術的保護範囲は、特許請求の範囲によって決まるものである。
【産業上の利用可能性】
【００４２】
本発明の対物レンズ光学系及びこれを採用した光ピックアップ装置は、例えば情報記録媒体関連の技術分野に効果的に適用可能である。
【図面の簡単な説明】
【００４３】
【図１Ａ】従来の対物レンズ光学系の光学的配置を示した図面である。
【図１Ｂ】従来の対物レンズ光学系の光学的配置を示した図面である。
【図１Ｃ】従来の対物レンズ光学系の光学的配置を示した図面である。
【図２】本発明の実施例による対物レンズ光学系の光学的配置を示した図面である。
【図３】本発明の実施例による対物レンズ光学系の光学的配置を示した図面である。
【図４】本発明の実施例による光ピックアップ装置の光学的配置を示した図面である。
【符号の説明】
【００４４】
５０，１２１    回折光学素子
５１    フレネルレンズ
５５    平面
６０，１２３    非球面部材
７０，１２５    屈折レンズ
７１，７５    面
１００    媒体
１１１    光源
１１３    第１反射鏡
１１５    光路変換部材
１１６    ホログラム素子
１１７    １／４波長板
１２０    対物レンズ光学系
１３１    第２反射鏡
１３５    光検出器
Ｄ    情報記録媒体
【図１Ａ】
2006164497.tif 000009
【図１Ｂ】
2006164497.tif 000010
【図１Ｃ】
2006164497.tif 000011
【図２】
2006164497.tif 000012
【図３】
2006164497.tif 000013
【図４】
2006164497.tif 000014